(57)【要約】【課題】ユーザが嗜好する音楽のイメージにマッチングする図柄の刺繍模様を縫製する刺繍データ作成装置を提供する。【解決手段】音楽データが再生されて、マイクから入力された音声は、音響分析により人間の声が特徴量に変換され音響データが記録される（Ｓ１）。音響データから歌詞が抽出され（Ｓ２）、歌詞が周知の形態素解析技術により単語に分解される（Ｓ３）。単語の出現回数が計数され（Ｓ４）、出現回数が多い単語から３つの単語が刺繍画像の作成に使用されるキーワードが決定される（Ｓ５）。刺繍データ作成画面が表示される（Ｓ６）。刺繍データ作成画面には、キーワードをカテゴリ名とするカテゴリに属する画像が表示されている。そして、ユーザが表示されている画像から好みの画像を選び、刺繍画像が編集される（Ｓ７）。そして、刺繍データ作成の指示が行われると（Ｓ８：ＹＥＳ）、編集された刺繍画像から刺繍データが作成される（Ｓ９）。【選択図】図１０
2008237433.tif 000002
【特許請求の範囲】
【請求項１】
刺繍縫製可能なミシンで刺繍縫製を行うための刺繍データを作成する刺繍データ作成装置において、
音楽データを入力する音楽データ入力手段と、
前記音楽データ入力手段により入力された音楽データの音声を歌詞の文字列データとして認識する音声認識手段と、
前記歌詞の文字列データから、所定の規則に基づいて特定のキーワードを抽出するキーワード抽出手段と、
画像データを記憶する画像データ記憶手段と、
前記キーワード抽出手段で抽出されたキーワードに応じて、前記画像データ記憶手段に記憶された前記画像データを選択する画像データ選択手段と、
前記画像データ選択手段で選択された前記画像データに基づいて刺繍データを作成する刺繍データ作成手段と、
を備えたことを特徴とする刺繍データ作成装置。
【請求項２】
前記音声認識手段は、
前記音楽データ入力手段により入力された音楽データから音声認識により前記歌詞の文字列データを抽出する歌詞抽出手段と、
少なくとも読みを含む単語に関する情報を記憶した単語辞書を参照して前記歌詞抽出手段により抽出された前記歌詞の文字列データを単語に分解する歌詞分解手段とを備えたことを特徴とする請求項１に記載の刺繍データ作成装置。
【請求項３】
前記キーワード抽出手段は、
前記歌詞分解手段により前記歌詞の文字列データが分解された単語である単位歌詞について、前記単位歌詞の出現回数に基づいて決定される重要度に応じてランク付けをするランク付与手段と、
前記ランク付与手段により付与されたランクに基づいて、前記歌詞の文字列データから少なくとも１つの前記単位歌詞を前記キーワードとして選択する単位歌詞選択手段とを備え、
前記所定の規則は、前記ランク付与手段により付与されたランクが上位の前記単位歌詞を選択する規則であることを特徴とする請求項２に記載の刺繍データ作成装置。
【請求項４】
前記画像データ記憶手段は、前記画像データに対応する語句である対応語句を記憶しており、
前記画像データ選択手段は、前記キーワード抽出手段により抽出された前記キーワード及び前記対応語句に基づいて前記画像データを選択することを特徴とする請求項１乃至３のいずれかに記載の刺繍データ作成装置。
【請求項５】
前記画像データ記憶手段は、前記画像データを所定のカテゴリ毎に分類し、階層化して記憶していることを特徴とする請求項１乃至４のいずれかに記載の刺繍データ作成装置。
【請求項６】
請求項１乃至５のいずれかに記載の刺繍データ作成装置の各種処理手段としてコンピュータを機能させるための刺繍データ作成プログラム。
【発明の詳細な説明】
【技術分野】
【０００１】
本発明は、刺繍データ作成装置及び刺繍データ作成プログラムに関するものであり、詳細には、画像の刺繍を行うための刺繍データを作成する刺繍データ作成装置及び刺繍データ作成プログラムに関するものである。
【背景技術】
【０００２】
ユーザが嗜好する音楽のイメージにマッチングする図柄の刺繍模様を縫製したいという要望がある。しかし、音楽にあった図柄を作成するには、デザインセンスや絵を描く技術が必要であり、デザインや絵を描くことが苦手なユーザにとっては、難しいことである。
【０００３】
ミシンと音楽との組み合わせとして、ユーザが所望する選択スイッチを操作すると、刺繍データとその刺繍データに関係した演奏曲とが選択され、刺繍を行いながら曲が演奏される自動演奏縫いのメロディステッチミシンが提案されている（例えば、特許文献１参照）。また、音楽と画像の組み合わせとして、携帯端末装置において、音楽データに関連した画像データを記憶しておき、音楽データを再生する際に、併せて記憶された画像データを携帯端末装置の表示画面に表示させる携帯端末装置が提案されている（例えば、特許文献２参照）。
【特許文献１】特開平３−１７３５９８号公報
【特許文献２】特開２００２−２１５１７４号公報
【発明の開示】
【発明が解決しようとする課題】
【０００４】
しかしながら、特許文献１に記載のメロディステッチミシンでは、あらかじめミシンに記憶されている刺繍データと演奏曲について、刺繍を行いながら曲を演奏させるだけである。よって、ユーザが嗜好する音楽に合った刺繍データを作成することはできないという問題点がある。また、特許文献２に記載の発明の携帯端末装置では、音楽に関係した画像が表示されるが、音楽データに併せて画像データが記憶されているものであり、画像データがない音楽データを再生する際には関連した画像を表示させることはできない。よって、特許文献２に記載の携帯端末装置の技術を、刺繍データ作成装置に応用することはできないという問題点がある。
【０００５】
本発明は、上述の問題点を解決するためになされたものであり、ユーザが嗜好する音楽のイメージにマッチングする図柄の刺繍模様を縫製するための刺繍データ作成装置及び刺繍データ作成プログラムを提供することを目的とする。
【課題を解決するための手段】
【０００６】
上記課題を解決するため、請求項１に係る発明の刺繍データ作成装置では、刺繍縫製可能なミシンで刺繍縫製を行うための刺繍データを作成する刺繍データ作成装置において、音楽データを入力する音楽データ入力手段と、前記音楽データ入力手段により入力された音楽データの音声を歌詞の文字列データとして認識する音声認識手段と、前記歌詞の文字列データから、所定の規則に基づいて特定のキーワードを抽出するキーワード抽出手段と、画像データを記憶する画像データ記憶手段と、前記キーワード抽出手段で抽出されたキーワードに応じて、前記画像データ記憶手段に記憶された前記画像データを選択する画像データ選択手段と、前記画像データ選択手段で選択された前記画像データに基づいて刺繍データを作成する刺繍データ作成手段とを備えている。
【０００７】
また、請求項２に係る発明の刺繍データ作成装置では、請求項１に記載の発明の構成に加えて、前記音声認識手段は、前記音楽データ入力手段により入力された音楽データから音声認識により前記歌詞の文字列データを抽出する歌詞抽出手段と、少なくとも読みを含む単語に関する情報を記憶した単語辞書を参照して前記歌詞抽出手段により抽出された前記歌詞の文字列データを単語に分解する歌詞分解手段とを備えている。
【０００８】
また、請求項３に係る発明の刺繍データ作成装置では、請求項２に記載の発明の構成に加えて、前記キーワード抽出手段は、前記歌詞分解手段により前記歌詞の文字列データが分解された単語である単位歌詞について、前記単位歌詞の出現回数に基づいて決定される重要度に応じてランク付けをするランク付与手段と、前記ランク付与手段により付与されたランクに基づいて、前記歌詞の文字列データから少なくとも１つの前記単位歌詞を前記キーワードとして選択する単位歌詞選択手段とを備え、前記所定の規則は、前記ランク付与手段により付与されたランクが上位の前記単位歌詞を選択する規則であることを特徴とする。
【０００９】
また、請求項４に係る発明の刺繍データ作成装置では、請求項１乃至３のいずれかに記載の発明の構成に加えて、前記画像データ記憶手段は、前記画像データに対応する語句である対応語句を記憶しており、前記画像データ選択手段は、前記キーワード抽出手段により抽出された前記キーワード及び前記対応語句に基づいて前記画像データを選択することを特徴とする。
【００１０】
また、請求項５に係る発明の刺繍データ作成装置では、請求項１乃至４のいずれかに記載の発明の構成に加えて、前記画像データ記憶手段は、前記画像データを所定のカテゴリ毎に分類し、階層化して記憶していることを特徴とする。
【００１１】
また、請求項６に係る発明の刺繍データ作成プログラムでは、請求項１乃至５のいずれかに記載の刺繍データ作成装置の各種処理手段としてコンピュータを機能させる。
【発明の効果】
【００１２】
請求項１に係る発明の刺繍データ作成装置では、音楽データ入力手段は、音楽データを入力し、音声認識手段は、音楽データ入力手段により入力された音楽データの音声を歌詞の文字列データとして認識し、キーワード抽出手段は、歌詞の文字列データから、所定の規則に基づいて特定のキーワードを抽出し、画像データ記憶手段は、画像データを記憶し、画像データ選択手段は、キーワード抽出手段で抽出されたキーワードに応じて、画像データ記憶手段に記憶された画像データを選択し、刺繍データ作成手段は、画像データ選択手段で選択された画像データに基づいて刺繍データを作成することができる。したがって、音楽データの歌詞のイメージに合った刺繍模様の刺繍データを容易に作成することができる。
【００１３】
また、請求項２に係る発明の刺繍データ作成装置では、請求項１に記載の発明の効果に加えて、音声認識手段の歌詞抽出手段は、音楽データ入力手段により入力された音楽データから音声認識により歌詞の文字列データを抽出し、歌詞分解手段は、少なくとも読みを含む単語に関する情報を記憶した単語辞書を参照して歌詞抽出手段により抽出された歌詞の文字列データを単語に分解することができる。したがって、音楽データの歌詞の文字情報がなくとも、歌詞の文字列データを得ることができる。
【００１４】
また、請求項３に係る発明の刺繍データ作成装置では、請求項２に記載の発明の効果に加えて、キーワード抽出手段のランク付与手段は、歌詞分解手段により歌詞の文字列データが分解された単語である単位歌詞について、単位歌詞の出現回数に基づいて決定される重要度に応じてランク付けをし、単位歌詞選択手段は、ランク付与手段により付与されたランクに基づいて、歌詞の文字列データから少なくとも１つの単位歌詞をキーワードとして選択することができる。そして、所定の規則は、ランク付与手段により付与されたランクが上位の単位歌詞を選択する規則とすることができる。よって、出現回数の多い単語に応じて画像データが選択される。出現回数の覆い単語ほど、音楽データのイメージに影響を与えるので、音楽データのイメージにあった刺繍データを作成することができる。
【００１５】
また、請求項４に係る発明の刺繍データ作成装置では、請求項１乃至３のいずれかに記載の発明の効果に加えて、画像データ記憶手段は、画像データに対応する語句である対応語句を記憶しており、画像データ選択手段は、キーワード抽出手段により抽出されたキーワード及び対応語句に基づいて画像データを選択することができる。したがって、容易に画像データを選択することができる。
【００１６】
また、請求項５に係る発明の刺繍データ作成装置では、請求項１乃至４のいずれかに記載の発明の効果に加えて、画像データ記憶手段は、画像データを所定のカテゴリ毎に分類し、階層化して記憶することができる。キーワードに応じて画像を選択する際に、よりイメージにあった刺繍データを作成するのに役立つ。
【００１７】
また、請求項６に係る発明の刺繍データ作成プログラムでは、請求項１乃至５のいずれかに記載の刺繍データ作成装置の各種処理手段としてコンピュータを機能させることができる。したがって、請求項１乃至５のいずれかに記載の発明の効果と同様の効果を奏すことができる。
【発明を実施するための最良の形態】
【００１８】
以下、本発明に係る刺繍データ作成装置１の一実施の形態について、図面を参照して説明する。本実施の形態の刺繍データ作成装置１は、刺繍ミシン３において刺繍を行うための刺繍データを作成するものである。まず、刺繍ミシン３について説明する。図１は、刺繍ミシン３の外観図である。
【００１９】
図１に示すように、刺繍ミシン３は、縫い針３４を装着する針棒３５を上下駆動する針棒機構（図示外）、天秤機構（図示外）及び釜機構（図示外）を備えている。また、ミシンベッド３０上に配置された刺繍を施そうとする加工布（図示外）を保持する刺繍枠３１を、キャリッジカバー３２内に収容され刺繍ミシン３の前後方向（紙面の前後方向）に移送するＹ方向駆動機構（図示外）と、本体ケース３３内に収容されＹ方向駆動機構を刺繍ミシン３の左右方向（紙面の左右方向）に移送するＸ方向駆動機構（図示外）とを備えている。このＹ方向駆動機構とＸ方向駆動機構とによって刺繍枠３１を移動させながら、針棒機構、天秤機構及び釜機構の協働による縫製動作を行うことにより、その加工布に所定の図柄の刺繍を施すようになっている。前記針棒機構、天秤機構、及び釜機構を駆動するミシンモータ（図示外）と、前記Ｙ方向駆動機構及びＸ方向駆動機構を駆動する夫々のモータ（図示外）は、刺繍ミシン３に内蔵されたマイクロコンピュータ等から構成される制御装置により駆動が制御される。また、刺繍ミシン３の脚柱部３６の側面にはメモリカードスロット３７が搭載されており、刺繍データが記憶されたメモリカード２をメモリカードスロット３７に装着することにより、刺繍データ作成装置１で作成された刺繍データが供給される。また、この刺繍ミシン３と刺繍データ作成装置１とをケーブルで接続可能に構成し、メモリカード等の記憶媒体を介さずに、直接刺繍データが供給されるようにしてもよい。
【００２０】
次に、図２乃至図５を参照して刺繍データ作成装置１について説明する。図２は、刺繍データ作成装置１の物理的構成を示す全体構成図であり、図３は、刺繍データ作成装置１の電気的構成を示すブロック図である。そして、図４は、ＨＤＤ１３に設けられている記憶エリアの構成を示す模式図であり、図５は、ＨＤＤ１３に設けられている画像カテゴリ記憶エリア１３２の構成を示す模式図である。そして、図６は、ＲＡＭ１２に設けられている記憶エリアを示す模式図であり、図７は、ＲＡＭ１２に設けられている歌詞記憶エリア１２２を示す模式図であり、図８は、ＲＡＭ１２に設けられている解析結果記憶エリア１２３を示す模式図であり、図９は、ＲＡＭ１２に設けられている出現回数記憶エリア１２４を示す模式図である。
【００２１】
図２に示すように、この刺繍データ作成装置１は、所謂パーソナルコンピュータである装置本体２１と、この装置本体２１に接続されるマウス１４、キーボード１５、ディスプレイ１６、スピーカ１７、マイク１８、メモリカードドライブ１９、ＣＤ−ＲＯＭドライブ２０から構成されている。なお、装置本体２１、マウス１４、キーボード１５、ディスプレイ１６、メモリカードドライブ１９の形状は図２に示すものに限らない。例えば、装置本体２１はタワー型のものに限らず、横置きのものであってもよく、装置本体２１とディスプレイ１６とキーボード１５とが一体化したノート型であってもよい。また、装置本体２１は所謂パーソナルコンピュータでなく、専用機であってもよいことはいうまでもない。また、スピーカ１７及びマイク１８は図２に示すように一体型のものでなく、別々の装置であってもよい。
【００２２】
次に、図３のブロック図を参照して、刺繍データ作成装置１の電気的構成について説明する。図３に示すように、刺繍データ作成装置１には、刺繍データ作成装置１の制御を司るＣＰＵ１０が設けられ、ＣＰＵ１０には、ＢＩＯＳ等を記憶したＲＯＭ１１と、各種のデータを一時的に記憶するＲＡＭ１２と、ＯＳやプログラムや各種情報を記憶するハードディスク装置（ＨＤＤ）１３と、ユーザによる入力を受け付けるマウス１４と、キーボード１５と、画像を出力するディスプレイ１６と、音を出力するスピーカ１７と、音を入力するマイク１８と、ＣＤ−ＲＯＭ４を読み込むためのＣＤ−ＲＯＭドライブ２０と、メモリカード２に入出力するためのメモリカードドライブ１９とがバスを介して接続されている。
【００２３】
次に、図４を参照して、ＨＤＤ１３に設けられている記憶エリアについて説明する。ＨＤＤ１３には、画像データ記憶エリア１３１、画像カテゴリ記憶エリア１３２、刺繍画像記憶エリア１３３、刺繍データ作成プログラム記憶エリア１３４等が設けられている。なお、ＨＤＤ１３には、これら以外の記憶エリアも設けられている。画像データ記憶エリア１３１には、刺繍のモチーフとなる画像のデータが記憶されており、画像カテゴリ記憶エリア１３２には、画像データを特定する情報（ファイル名）と、その画像データに対応するキーワードが記憶されている。そして、刺繍画像記憶エリア１３３には、刺繍データが作成される画像が記憶される。そして、刺繍データ作成プログラム記憶エリア１３４には、パーソナルコンピュータを刺繍データ作成装置１として機能させるためのプログラムが記憶されている。
【００２４】
次に、図５を参照して、画像カテゴリ記憶エリア１３２について説明する。図５に示すように、画像カテゴリ記憶エリア１３２には、第一カテゴリ欄、第二カテゴリ欄、第三カテゴリ欄、画像データ欄が設けられている。つまり、カテゴリは３層構造となっており、第三カテゴリに対応して、第三カテゴリに属する画像データのファイル名が記憶されている。例えば、「果物」という第一カテゴリは、「りんご」，「いちご」，・・・・といった第二カテゴリに分解される。そして、「りんご」という第二カテゴリは「実」，「お菓子」，「木」，「その他」という第三カテゴリに分解される。そして、「実」という第三カテゴリに属する画像データ名「１２３４５６」，「４６８７４６」，「１６８７４７」，・・・・が記憶されている。
【００２５】
なお、画像データが属するカテゴリは、１つである必要はなく、例えば、「０００４５７」というファイル名の画像は、第一カテゴリ「果物」−第二カテゴリ「りんご」−第三カテゴリ「木」に属しているが、第一カテゴリ「畑」−第二カテゴリ「果樹園」−第三カテゴリ「りんご畑」にも属している。
【００２６】
次に、図６を参照して、ＲＡＭ１２に設けられている記憶エリアについて説明する。ＲＡＭ１２には、音響データ記憶エリア１２１、歌詞記憶エリア１２２、解析結果記憶エリア１２３、出現回数記憶エリア１２４、キーワード記憶エリア１２５等が記憶されている。なお、ＲＡＭ１２には、これら以外の記憶エリアも設けられている。音響データ記憶エリア１２１には、マイク１８から入力された音声が特徴量に分析された音響データが記憶され、歌詞記憶エリア１２２には、音響データから音声認識により抽出されたテキスト（歌詞）が記憶される。そして、解析結果記憶エリア１２３には、歌詞を形態素解析した結果が記憶され、出現回数記憶エリア１２４には、解析結果に基づいて各形態素の出現回数が記憶される。そして、キーワード記憶エリア１２５には、刺繍画像を作成する際に使用されるキーワードが記憶される。
【００２７】
次に、図７を参照して、ＲＡＭ１２に設けられている歌詞記憶エリア１２２について説明する。図７に示すように、歌詞記憶エリア１２２には、音楽ＣＤをＣＤプレーヤで再生し、マイク１８から入力された音響データが記憶される。図７に示す例では、「私は真っ赤なりんごです  お国は寒い北の国・・・・」という歌詞が記憶されている。
【００２８】
次に、図８を参照して、ＲＡＭ１２に設けられている解析結果記憶エリア１２３について説明する。図８に示すように、解析結果記憶エリア１２３には単語欄、品詞欄、基本形欄が設けられている。この解析結果記憶エリア１２３には、歌詞記憶エリア１２２に記憶されている歌詞に対して、周知の形態素解析を行った結果として、単語欄には単語（形態素）が記憶され、品詞欄にはその単語の品詞が記憶され、基本形欄には、単語が活用語（動詞，形容詞，形容動詞，助動詞のように活用する語）である場合にその基本形が記憶される。
【００２９】
図８に示す例では、図７に示した歌詞の解析結果の一部が記憶されている。「私」は名詞であり、「は」は助詞であり、「真っ赤な」は形容詞であり基本形は「真っ赤だ」であり、「りんご」は名詞であり、「です」は助動詞であり基本形は「です」である。そして、「お」は接頭詞であり、「国」は名詞であり、「は」は助詞であり、「寒い」は形容詞であり基本形は「寒い」であり、「北」は名詞である。その他の単語については省略されている。
【００３０】
次に、図９を参照して、ＲＡＭ１２に設けられている出現回数記憶エリア１２４について説明する。出現回数記憶エリア１２４には、単語欄及び回数欄が設けられている。ここには、解析結果記憶エリア１２３に記憶されている単語の出現回数が計数され、回数の降順にソートされる。図９は、図８に示した解析結果の出現回数が計数され、ソートされた後の出現回数記憶エリア１２４を示している。図９に示すように、「りんご」の出現回数が一番多く、１４回であり、次いで、「りんご畑」、「独り言」、「かわいい」が３回出現しており、次いで、「国」、「箱」が２回出現している。
【００３１】
次に、図１０及び図１１を参照して、刺繍データ作成装置１の動作について説明する。図１０は、刺繍データ作成装置１の動作を示すフローチャートであり、図１１は、刺繍データ作成のために、ディスプレイ１６に表示される刺繍データ作成画面２００を示す模式図である。
【００３２】
図１０に示す処理は、刺繍データ作成装置１において、刺繍データ作成プログラムが実行されると開始される。まず、一般的なＣＤプレーヤ等を用いて音楽ＣＤを再生し、再生された音楽をマイク１８から入力する。マイク１８から入力された音楽の音声は、周知の音声認識技術で用いられる音響分析により逐次分析され、人間の声が特徴量に変換される。そして、この特徴量が音響データとして音響データ記憶エリア１２１に記憶される（Ｓ１）。
【００３３】
次いで、音響データ記憶エリア１２１に記憶されている音響データから、歌詞が抽出される（Ｓ２）。具体的には、音響モデル、言語モデル、辞書等が参照されて周知の音声認識技術により、音響データからテキスト（歌詞）が出力され、歌詞として歌詞記憶エリア１２２（図７参照）に記憶される。次いで、歌詞記憶エリア１２２に記憶されている歌詞が、周知の形態素解析技術により形態素（単語）に分解され、解析結果記憶エリア１２３（図８参照）に記憶される（Ｓ３）。
【００３４】
次いで、解析結果記憶エリア１２３に記憶されている単語の出現回数が計数され、出現回数記憶エリア１２４に記憶される（Ｓ４）。ここでは、名詞、動詞、形容詞、形容動詞である単語のみが抽出されて計数される。なお、活用語では、基本形欄が参照されて活用形が異なっているものも同一の単語として計数される。そして、計数後は出現回数記憶エリア１２４が回数の多い順にソートされる。
【００３５】
そして、刺繍画像の作成に使用されるキーワードが決定される（Ｓ５）。このキーワードは、出現回数が多い単語から順にキーワードの候補とされる。そして、その単語が画像カテゴリ記憶エリア１３２に登録されているか否かの判断が行われ、その単語が第一カテゴリ、第二カテゴリ又は第三カテゴリに記憶されていれば、キーワードに決定されてキーワード記憶エリア１２５に記憶される。本実施の形態では、３つの単語がキーワードとされる。
【００３６】
図７乃至図９に示した例では、まず１４回出現している「りんご」がキーワードの候補とされる。第一カテゴリ「果物」の第二カテゴリに「りんご」があるので、この「りんご」はキーワードとされる。次に、２回出現している「りんご畑」がキーワードの候補とされる。第一カテゴリ「畑」、第二カテゴリ「果樹園」、第三カテゴリ「りんご畑」があるので、「りんご畑」はキーワードとされる。次に、同じく２回出現している「独り言」がキーワードの候補とされるが、この「独り言」は画像カテゴリ記憶エリア１３２の、第一カテゴリ欄、第二カテゴリ欄、第三カテゴリ欄のいずれにも記憶されていないので、キーワードとされない。そして、次に、同じく２回出現している「かわいい」がキーワード候補とされ、第一カテゴリ「かわいい」があるので、「かわいい」はキーワードとされる。
【００３７】
次いで、刺繍データ作成画面２００がディスプレイ１６に表示され（Ｓ６）、刺繍データ作成画面２００において刺繍データを作成するための刺繍画像の編集が行われる（Ｓ７）。図１１に示すように、刺繍データ作成画面２００には、カテゴリ欄２１０，画像サンプル欄２２０，刺繍画像編集領域２３０，選択ボタン２４１，保存ボタン２４２，刺繍データ作成ボタン２４３，キャンセルボタン２４４が設けられている。図１１は、図７乃至図９に示す例での刺繍データ作成画面である。
【００３８】
まず、カテゴリ欄２１０について説明する。ここには、キーワード記憶エリア１２５に記憶されているキーワードの属するカテゴリが階層表示される。左の列が第一カテゴリ、真ん中の列が第二カテゴリ、右の列が第三カテゴリである。図７乃至図９に示した例では、「りんご」，「りんご畑」，「かわいい」がキーワードとされているので、これらのキーワードの属するカテゴリが表示されている。「りんご」は第一カテゴリ「果物」の第二カテゴリに属しているので、第一カテゴリとして「果物」が表示され、「果物」の第二カテゴリである「りんご」，「いちご」，「みかん」，「ぶどう」，「その他」が展開され、表示されている。そして、キーワードである「りんご」については、第三カテゴリである「実」，「お菓子」，「木」，「その他」が展開され、表示されている。そして、「りんご」はキーワードであるので、枠で囲まれて強調表示されている。さらに、「りんご」は反転表示されており、現在このカテゴリが選択されていることを示している。
【００３９】
そして、第一カテゴリ「果物」の下には、「畑」が表示されている。そして、「畑」の第二カテゴリとして「果樹園」及び「菜園」が表示されている。そして、第二カテゴリ「果樹園」の第三カテゴリとして「りんご畑」，「みかん畑」，「ぶどう園」，「その他」が展開され、表示されている。さらに、「りんご畑」はキーワードであるので枠で囲まれて強調表示されている。さらに、第一カテゴリ「畑」の下には、「かわいい」が表示されている。この「かわいい」はキーワードであるので、枠で囲まれて強調表示されている。そして、「かわいい」の第二カテゴリとして「花」，「動物」，「キャラクター」，「リボン」，「その他」が展開され、表示されている。なお、キーワード「かわいい」は第一カテゴリであるので、第三カテゴリは展開されていない。
【００４０】
そして、このカテゴリ欄２１０で選択されているカテゴリに属する画像が、カテゴリ欄２１０の右に設けられている画像サンプル欄２２０に表示される。図１１の例では、「りんご」が選択されているので、第一カテゴリ「果物」−第二カテゴリ「りんご」に属する画像が表示される。つまり、図１１の例では、第三カテゴリ「実」，「お菓子」，「木」，「その他」に属する画像すべてが表示される。属する画像は、画像カテゴリ記憶エリア１３２の画像データ欄に画像データのファイル名が記憶されているので、そのファイル名の画像データのファイルが画像データ記憶エリア１３１から読み出される。なお、カテゴリ欄２１０で第三カテゴリが選択されていれば、その第三カテゴリに属する画像のみが表示され、第一カテゴリが選択されていれば、その第一カテゴリに属する第二カテゴリに属するすべての画像が表示される。
【００４１】
図１１に示す例では、１つのりんごの実の画像である画像２２１，りんご箱に詰められたりんごの画像である画像２２２，３つのりんごの実が並んだ画像である画像２２３，２つの葉付きのりんごの実の画像である画像２２４が表示されている。なお、画像サンプル欄２２０にはスクロールバーが設けられており、その他の画像は、このスクロールバーを操作することにより表示させることができる。
【００４２】
そして、画像サンプル欄２２０において選択されている画像の周囲には選択枠２２９が表示される。そして選択ボタン２４１が選択されると、選択枠２２９で選択されている画像が刺繍画像編集領域２３０に展開される。図１１に示す例では、画像２２１が選択され、刺繍画像編集領域２３０に画像２３１が表示されている。ここにさらに画像を追加するには、カテゴリ欄２１０において、他のカテゴリを選択すると、画像サンプル欄２２０にそのカテゴリに属する画像が表示されるので、使用したい画像を選択し、選択ボタン２４１を選択すればよい。なお、刺繍画像編集領域２３０において、周知の画像編集ソフトのように画像を拡大／縮小したり、色を変更したり、文字を追加したり、画像をコピーしたり、線や図形を描画したりする機能を持たせてもよい。なお、保存ボタン２４２が選択されると、刺繍画像編集領域２３０に表示されている画像がＨＤＤ１３の刺繍画像記憶エリア１３３に記憶される。
【００４３】
そして、刺繍データ作成ボタン２４３が選択され、刺繍データ作成の指示が行われると（Ｓ８：ＹＥＳ）、刺繍画像編集領域２３０に表示されている画像がＨＤＤ１３の刺繍画像記憶エリア１３３に記憶され、さらに刺繍画像記憶エリア１３３に記憶された画像を刺繍ミシン３で刺繍するための刺繍データが作成される（Ｓ９）。この刺繍データの作成は周知の画像の刺繍データ作成方法で行われる。具体的には、画像に基づいて刺繍糸の糸色が決定され、糸色毎に縫製領域が決定され、その縫製領域を塗り潰すための針落ち点が決定される。そして、作成された刺繍データはメモリカード２に記憶される。なお、図１０のフローチャートには記載しないが、キャンセルボタン２４４が選択された場合には、本処理は終了する。なお、カテゴリ欄２１０でのカテゴリの選択、画像サンプル欄２２０での画像の選択、各種ボタン２４１〜２４４の選択、キーボード１５又はマウス１４の操作により行われる。
【００４４】
以上のようにして、音楽データから歌詞が抽出され、出現回数に基づいてキーワードが選択されて、そのキーワードに関係する画像が提示される。よって、ユーザは提示された画像から好みの画像を選択したり、組み合わせたりすることにより、音楽のイメージに合った刺繍、つまり、音楽のイメージと同じイメージを持つ画像の刺繍を施す刺繍データを簡単に作成することができる。
【００４５】
なお、上記実施の形態のマイク１８が「音楽データ入力手段」に該当し、ＨＤＤ１３の画像データ記憶エリア１３１及び画像カテゴリ記憶エリア１３２が「画像データ記憶手段」に該当する。そして、図１０に示すフローチャートのＳ１及びＳ２において音楽データから歌詞を抽出する処理を行うＣＰＵ１０が「歌詞抽出手段」に相当し、Ｓ３の形態素解析を行う処理が「歌詞分解手段」に相当し、Ｓ１〜Ｓ３の処理を行うＣＰＵ１０が「音声認識手段」に相当する。そして、Ｓ６で刺繍データ作成画面２００において、画像サンプル欄２２０から画像データを選択、選択ボタン２４１の選択の入力を受け付ける処理を行うＣＰＵ１０が「画像データ選択手段」に相当し、Ｓ９で刺繍データを作成する処理を行うＣＰＵ１０が「刺繍データ作成手段」に相当する。そして、Ｓ４で単語の出現回数を計数し、回数の降順にソートする処理を行うＣＰＵ１０が「ランク付け手段」に相当し、Ｓ５でキーワードを決定する処理を行うＣＰＵ１０が「単位歌詞選択手段」に相当する。また、解析結果記憶エリア１２３には単語欄に記憶されている単語が「単位歌詞」に該当する。
【００４６】
なお、本発明の刺繍データ作成装置は、上記した実施の形態に限定されるものではなく、本発明の要旨を逸脱しない範囲内において種々変更を加え得ることは勿論である。上記実施の形態では、音楽データは音楽ＣＤに録音されており、ＣＤプレーヤで再生しているとした。しかし、音楽データが記憶される媒体はＣＤに限らず、メモリカードやＵＳＢメモリ等のような携帯型記録媒体に録音されていてもよい。また、音楽を再生する機器の記憶媒体に記憶されていてもよいし、音楽を再生する機器がネットワークに接続可能であれば、ネットワークを介して読み込み可能な場所に記憶されていてもよい。また、音楽を再生する機器もＣＤプレーヤに限らず、音楽データを再生可能な機器であってもよい。さらに、刺繍データ作成装置１であってもよい。また、携帯電話等の携帯型端末でネットワークを介してダウンロードし、携帯型端末を刺繍データ作成装置１に接続して音楽データを読み込むようにしてもよい。また、ラジオ、テレビなどの外部の機器から出力される音楽をマイク１８から入力してもよい。また、人間が生で歌う音声をマイク１８から入力してもよい。また、刺繍データ作成装置１で音楽データを読み込み可能な場合には、ＣＤ−ＲＯＭドライブ２０で音楽ＣＤを再生してスピーカ１７から出力し、マイク１８により再生された音を入力してもよいし、音楽データから直接音響データを作成してもよい。
【００４７】
また、上記実施の形態では、所謂パーソナルコンピュータを刺繍データ作成装置として用いたが、ミシン３にマイク、ディスプレイ及び入力装置（例えば、キーやタッチパネル）を設けて、刺繍データ作成プログラムを搭載し、刺繍データを作成するようにしてもよい。
【００４８】
また、上記実施の形態においては、音声認識により抽出された歌詞をそのまま用いたが、抽出された歌詞をユーザが確認、編集するようにしてもよい。例えば、Ｓ２において歌詞を抽出した後に、ディスプレイ１６にその歌詞を表示させる。そこで、実際の歌詞と誤って認識されている文字を選択、正しい文字をキーボード１５により入力し、歌詞記憶エリア１２２に記憶させる。また、形態素解析による解析結果もユーザが確認、編集するようにしてもよい。例えば、Ｓ４において、解析結果記憶エリア１２３に記憶されている情報をディスプレイ１６に表示させる。そこで、誤っている単語や品詞を修正入力し、解析結果記憶エリア１２３に記憶させる。
【００４９】
また、上記実施の形態では、単語の出現回数に基づいてのみキーワードを自動的に決定し、刺繍データ作成画面２００を表示させたが、ユーザにキーワードを選択させてもよい。また、上記実施の形態では、出現回数の多い順にランク付けを行ったが、ランク付けの基準は出現回数でなくともよい。例えば、その歌詞の音量を記録し、音量の大きい順でランク付けを行ってもよい。具体的には、Ｓ１において音楽データが入力される際に特徴量に対応して音量も記録する。そして、歌詞抽出後にそれぞれの文字毎に音量を記憶する。そして、形態素解析後に各単語を成す文字の音量の平均音量を算出し、単語の音量とする。また、その歌詞の発生速度（その単語の発生時間を文字数で割る）を算出し、発生速度の遅い順でランク付けを行ってもよい。具体的には、Ｓ１において、音声認識において歌詞を抽出する際に各単語の発生時間を計測し、文字毎に発生時間を記憶する。そして、形態素解析後に各単語を成す文字の発生時間を合計し、単語の文字数で割り、単語の発生速度とする。また、出現回数、音量、発生速度のうちのいずれかを組み合わせてランク付けを行ってもよい。例えば、各単語の音量の最小値から最大値までを１０分割し、音量の小さい方から１，２，３，・・・，１０の数値（音量値）を付与する。そして、単語毎にこの音量値を集計する。
【図面の簡単な説明】
【００５０】
【図１】刺繍ミシン３の外観図である。
【図２】刺繍データ作成装置１の物理的構成を示す全体構成図である。
【図３】刺繍データ作成装置１の電気的構成を示すブロック図である。
【図４】ＨＤＤ１３に設けられている記憶エリアの構成を示す模式図である。
【図５】ＨＤＤ１３に設けられている画像カテゴリ記憶エリア１３２の構成を示す模式図である。
【図６】ＲＡＭ１２に設けられている記憶エリアを示す模式図である。
【図７】ＲＡＭ１２に設けられている歌詞記憶エリア１２２を示す模式図である。
【図８】ＲＡＭ１２に設けられている解析結果記憶エリア１２３を示す模式図である。
【図９】ＲＡＭ１２に設けられている出現回数記憶エリア１２４を示す模式図である。
【図１０】刺繍データ作成装置１の動作を示すフローチャートである。
【図１１】刺繍データ作成のために、ディスプレイ１６に表示される刺繍データ作成画面２００を示す模式図である。
【符号の説明】
【００５１】
１  刺繍データ作成装置
２  メモリカード
３  刺繍ミシン
４  音楽ＣＤ
１０  ＣＰＵ
１２  ＲＡＭ
１３  ＨＤＤ
１２１  音響データ記憶エリア
１２２  歌詞記憶エリア
１２３  解析結果記憶エリア
１２４  出現回数記憶エリア
１２５  キーワード記憶エリア
１３１  画像データ記憶エリア
１３２  画像カテゴリ記憶エリア
２００  刺繍データ作成画面
２１０  カテゴリ欄
２２０  画像サンプル欄
２３０  刺繍画像編集領域
【図１】
2008237433.tif 000003
【図２】
2008237433.tif 000004
【図３】
2008237433.tif 000005
【図４】
2008237433.tif 000006
【図５】
2008237433.tif 000007
【図６】
2008237433.tif 000008
【図７】
2008237433.tif 000009
【図８】
2008237433.tif 000010
【図９】
2008237433.tif 000011
【図１０】
2008237433.tif 000012
【図１１】
2008237433.tif 000013